(57)【特許請求の範囲】
【請求項１】
液晶モジュールを有する液晶ユニットと、この液晶ユニットの背面に配置された取付部を介して取り付けられるベース部とを有する液晶表示装置において、
前記液晶ユニットは、液晶モジュール保護部材を露出するような開口部を有するフロントカバーと、このフロントパネルの後方を覆うバックカバーとを備え、
前記バックカバーは、上面側の奥行き寸法より下面側の奥行き寸法が大きく形成されるとともに、前記上面側に形成された吸気用の放熱穴と前記下面側に形成された排気用の放熱穴とを備え、  前記ベース部は、前記液晶ユニットを前記ベース部の上面から離れた上方に位置するように支持する高さ調整板を備えていることを特徴とする液晶表示装置。
【請求項２】
請求項１に記載の液晶表示装置において、
前記バックカバーは、その前方側が前記フロントカバーと略面一となる寸法であり、後方側は前方側より寸法の小さい突出部を有し、
前記排気用の放熱穴は前記突出部の上面部に形成され、前記吸気用の放熱穴は前記フロントカバーの下面部分と前記バックカバーの下面部分に形成されていることを特徴とする液晶表示装置。
【請求項３】
請求項１に記載の液晶表示装置において、
前記バックカバーの後方側は、前記液晶モジュールと平行な面と、前記液晶モジュール側に傾斜した傾斜面とで構成され、
前記傾斜面に排気用の放熱穴を形成したことを特徴とする液晶表示装置。
【請求項４】
請求項１に記載の液晶表示装置において、
前記液晶ユニットは、前記フロントカバーと前記バックカバーとで内部空間を形成し、この内部空間に、液晶モジュール保護部材の後方側に配置されるシャーシと、該シャーシの前方側に配置される液晶モジュールと、該シャーシの後方側の下部に配置される電源ユニットとを備え、
前記フロントパネルは液晶モジュールを覆い、前記バックカバーは電源ユニットを覆うように取り付けられることを特徴とする液晶表示装置。
【発明の詳細な説明】
【０００１】
【発明の属する技術分野】
本発明は、バックライトを備えた液晶モジュールに、外部からの映像信号を画像として再現する液晶表示装置に関する。
【０００２】
【従来の技術】
バックライトを備えた液晶表示装置は、低電力、薄型、軽量であるが、視野角が狭いことから液晶モジュールと目線の関係が略直角になる範囲で使用されるのが一般的である。例えば、ノート・パソコン（ＰＣ）や、携帯型のゲーム機や表示画面の大きさが３インチ〜５インチ程度の小型のテレビ装置のディスプレイとして幅広く普及している。
【０００３】
しかしながら、近年では、液晶表示装置の問題点であった、視野角を広げる開発がなされており、鮮明な画像再現力と共に視野角を大幅に拡大し、どの方向から見ても良好な画像を得ることが可能になってきた。
【０００４】
なお、この技術内容に関しては、ＮＩＫＫＥＩ  ＭＩＣＲＯＤＥＶＩＣＥＳ  １９９５年１２月号に紹介されている。
【０００５】
一方、グラフィック  ユーザ  インターフェース（ＧＵＩ）の環境が整い、ＰＣの高性能化と共に、ＰＣの普及が急速に進み、更には、ＡＶ機器のデジタル化により液晶表示装置はコンピュータ画像は勿論のこと、動画や静止画といったさまざまなメディアを表示するマルチメディアディスプレイとして利用され始めている。
【０００６】
このような液晶表示装置は、液晶モジュールをフロントケースとリアケースから構成された筐体で囲い、薄型の箱型として提供されており、特に、大画面のものは筐体が薄型なために、筐体単体では自立しないので、壁掛け方式とするかあるいは筐体に簡易型のスタンドを構成させるか、ベースにアームを介して表示装置を取付けているのが一般的である。
【０００７】
なお、これらの一実施例として意匠登録第９２５８２５号が掲載された意匠公報に示されている。
【０００８】
【発明が解決しようとする課題】
従来の液晶表示装置は、マルチメディアディスプレイとして利用され始め、画面の大型化、高精細化が進んでいるが、それに伴い、装置自身も大型化しており、机上を大半占有してしまうと言う問題がある。
【０００９】
また、従来のＰＣは、特定の場所に設置され、表示された画面情報を操作者が一人で見ることが殆どであったが、情報を共有化して複数の人が同時に画面情報を見たり、その情報に基づき打合せ等を行うシーンが増大してきた。
【００１０】
そのために、ＰＣ自体にも可搬性が求められ、さらに、視野角が広がったことも起因して同時に複数の人が画面に表示された情報を見ることができる液晶表示装置のニーズが高まってきた。
【００１１】
しかしながら、従来の液晶表示装置は、可搬性に乏しく、また、使用シーンの多様化に対応されておらず、複数の人が同時に画面情報を見る時には、同一方向から見なければならないので、画面から離れるか重なるようにして見なければならず不便であった。
【００１２】
また、液晶表示装置を特定な場所で使用する時には、機器から放熱される暖かな風は、設置する時にその対策を考慮すれば良かったが、使用シーンが多様化されると、あらゆる場合にも良好な処置が容易に施すことができなければならないという課題がある。
【００１３】
さらに、画面が小さい時にはさほど目立たなかったが、大画面でそこに表示された画像が、明るくそして鮮明で見易くなったことが起因して、画面周囲の視覚ノイズが気になる問題がある。
【００１４】
さらにまた、従来は、輝度調整や位相調整のための操作ボタンは、画面に対して側面や背面側に配置されていたが、液晶表示装置がマルチメディアディスプレイとして使用されると、画面情報が文字や人や風景であり、それらの情報に適した輝度調整や位相調整が容易に行えることが必要となってくる。
【００１５】
本発明の目的とするところは、放熱効率の良好な液晶表示装置を提供することにある。
【００１８】
【課題を解決するための手段】
本発明では前記目的を達成するために、液晶モジュールを有する液晶ユニットと、この液晶ユニットの背面に配置された取付部を介して取り付けられるベース部とを有する液晶表示装置において、液晶ユニットは、液晶モジュール保護部材を露出するような開口部を有するフロントカバーと、このフロントパネルの後方を覆うバックカバーとを備え、バックカバーは、上面側の奥行き寸法より下面側の奥行き寸法が大きく形成されるとともに、上面側に形成された吸気用の放熱穴と下面側に形成された排気用の放熱穴とを備え、ベース部は、液晶ユニットをベース部の上面から離れた上方に位置するように支持する高さ調整板を備える構成とする。
【００２４】
【発明の実施の形態】
以下に、本発明に係る液晶表示装置の実施の形態を、添付の図面に従って説明する。なお、本発明の液晶モジュール２１の画面サイズは１３．３インチとして以下に説明するが、本発明はこれにこだわるものではなく、前記サイズより小さくても大きくても良い。
【００２５】
図１は、本発明の第１の実施例を示す前方から見た斜視図である。また、図２は、本発明の第１の実施例を示す後方から見た斜視図、図３は、図１のＩ−Ｉ断面図である。なお、本発明では、液晶ユニット１の表示モジュール保護部材３側を前方と称し以下に説明する。
【００２６】
また、本発明の第１の実施例は、図示しないＰＣ等に接続して使用されるもので、ＰＣ等との接続は、後述するＡＣインレットプラグ４４により行われ、映像信号をＰＣ等から供給され、液晶モジュール２１に映像として再現するものである。
【００２７】
先ず、図１〜図３において、本発明の第１の実施例の構成について説明する。液晶ユニット１は、例えば、透明なガラスや透明なアクリル系等のシート材からなる、液晶モジュール保護部材３を露出するように、開口部を有する液晶モジュールフロントカバー２と、前方側が該液晶モジュールフロントカバー２と略面一となる寸法であり、後方側に前方側より寸法の小さい突出部を有し、突出部には背面カバー７を有する液晶モジュールバックカバー４により構成されている。
【００２８】
また、液晶モジュールバックカバー４の後方側は、液晶モジュール２１と平行な面と、それより前方側に傾斜した面とから構成されている。
【００２９】
一方、液晶ユニット１の下方には、ベース部５が設けられており、該ベース部５の上面部には垂直方向に高さ調整板８が設けられ、該高さ調整板８はヒンジ機構５０により該ベース部５により支えられ、該液晶ユニット１は該高さ調整板８により該ベース部５の上面から離れた上方に位置するように支えられている。
【００３０】
なお、液晶ユニット１と高さ調整板８とは着脱可能であり、液晶表示装置を他の場所に移動するときには、該高さ調整板８を該液晶ユニット１から取り外すことで、容易に最小の単位とすることができるので、可搬性に優れた液晶表示装置を提供することができる。
【００３１】
なお、ヒンジ機構５０により液晶ユニット１は、図３の状態から前方に１５度、後方に３０度の範囲で角度を変えることができる。
【００３２】
液晶モジュールフロントカバー２と、液晶モジュールバックカバー４とで覆われた内部には、液晶モジュール保護部材３の後方側にシャーシ２０を配置し、該シャーシ２０の前方側には液晶モジュール２１と、ボタン基板２３と、図示しないが映像の調整基板等のメイン基板とが取り付けられている。、
また、液晶モジュール２１は、上方と下方の両端にバックライトとして螢光管部２２ａ，ｂが内蔵され、側方には該螢光管部２２のためのインバータ２７が取り付けられている。
【００３３】
また、シャーシ２０の後方側には、インタフェース基板２４と電源ユニット２５と、後述するＡＣインレット２８と強制排気用のファン２６とが取り付けられている。
【００３４】
液晶モジュールフロントカバー２の前方側の中央部下方には、電源インジケータ１０、バックボタン１１、セレクトボタン１２、メニューボタン１３、メニュー選択ボタン１４、１５、セーブインジケータ１６が配置され、該液晶モジュールバックカバー４の側面側には、電源ボタン１７が配置されている。
【００３５】
電源ボタン１７の指示により電力を供給すると、電源インジケータ１０が点灯し通電状態であることを表示する。液晶ユニット１に接続されたＰＣ等からの信号情報が送られていないときには、液晶モジュール２１を温めておくのに必要最小な電力だけが供給され、その際には、セーブインジケータ１６が点灯する。ＰＣ等から信号が送信されると、自動的に液晶モジュール２１に映像情報を表現するのに必要な電力が供給され、電源インジケータ１０が点灯する。
【００３６】
これにより、電源ボタン１７を入りの状態で、電源インジケータ１０が点灯している場合には、ＰＣ等からの信号が送信されていることが確認することができ、一方、セーブインジケータ１６が点灯している場合には、ＰＣ等からの信号が送信されていないことが確認することができるので、ＰＣ等の電源の切り忘れ防止や、送信状態などが確認することができる。
【００３７】
また、輝度調整や位相調整は、メニューボタン１３の指示により液晶モジュール２１にＯＳＤのメニュー画面が表示されるので、メニュー選択ボタン１４、１５により表示されている操作指示を必要とする項目にカーソルを送り、セレクトボタン１２により項目を決定する。選択を行った後に前の項目に戻る時には、バックボタン１１の指示により行う。上記ＯＳＤのメニュー画面は、暫くの間何れかの指示が無い状態が続くと自動的に消滅する。
【００３８】
このために、輝度調整や位相調整が終了した後に、次の操作指示をすることなく、自動的に通常画面に戻るので通常作業を速やかに行うことができる。
【００３９】
また、メニューボタン１３を操作することで上記ＯＳＤのメニュー画面を強制的に終了することもできる。
【００４０】
なお、ＰＣ等からの映像信号を液晶モジュール２１に表示しているときに、メニュー選択ボタン１４、１５を直接操作することにより、液晶モジュール２１の明るさを調整することができる。
【００４１】
前述した取り入れた映像信号の変換、信号の映像化、その他の制御に関するものは総て公知の手段で実現出来る。
【００４２】
次に該液晶モジュールバックカバー４の詳細について説明する。
【００４３】
図４は、本発明の第１の実施例の分解図である。また、図５は図１のＩＩ−ＩＩ断面図、図６は図３のＩＩＩ−ＩＩＩ断面図である。
【００４４】
先ず図４において、液晶モジュールバックカバー４は、背面カバー７に覆われた部分が液晶モジュール２１と平行な面で構成され、この平行な面には縦方向の中心位置にユニファイネジ穴４１と、ユニファイネジ用位置決め穴４２と、ベース部５に取り付けられた高さ調整板６に設けられたベース部止めネジ４７ａ、ｂが貫通するベース部止めネジ用穴９ａ、ｂ、ｃ、ｄに整合する位置に、高さ調整板取付け穴４３ａ、ｂとが設けられている。
【００４５】
さらに、ＡＣインレットケーブル４５に取り付けられたＡＣインレットプラグ４４が、接続される図示しない映像入力端子が上記平行な面より埋没して設けられている。
【００４６】
映像入力端子にＡＣインレットプラグ４４を取り付けた時、該ＡＣインレットプラグ４４の表面は、上記平行な面と同一な面か、あるいはそれ以下な面となるように構成されている。また、映像入力ケーブル４６も液晶ユニット１の下面側から取り付けられている。
【００４７】
このような構成としたために、上記平行な面は常に平滑な面を提供することができる。
【００４８】
また、液晶モジュールバックカバー４の後方側には、該液晶モジュールバックカバー４の後方側で、かつ左右の湾曲面の輪郭に沿わせた湾曲した面を備えた背面カバー７を着脱可能に設けられている。背面カバー７の上方先端の左右には、液晶モジュールバックカバー４に取り付けるための取り付け用ツメ８ａ、ｂが設けられており、該取り付け用ツメ８ａ、ｂは該液晶モジュールバックカバー４に設けられたツメ差し込み穴４０ａ、ｂに差し入れて、該液晶モジュールバックカバー４に取り付けられる。
【００４９】
このことにより、机上で個人的に使用する時には、ベース部５に取り付けた状態で使用し、背面カバー７を液晶モジュールバックカバー４に取り付けることにより、ベース部止めネジ４７ａ、ｂや、ベース部止めネジ用穴９ａ、ｂ、ｃ、ｄや、ＡＣインレットプラグ４４などを隠蔽することができるので、視覚ノイズの低減を行うことができ、さらには、平滑な面を提供することができるので清掃性が極めて良く、液晶表示装置の凹凸感がないので美的にも向上し、人間の視覚的感覚にもシンプル感を与え、結果として視覚ノイズの低減を図ることができる。
【００５０】
更に加えて、背面カバー７とベース部５とを取り外し、液晶モジュールバックカバー４の後方面を下向きに、液晶モジュールフロントカバー２側を上向きになるように置いた平置きとしても使用することができる。
【００５１】
この時、前述したように液晶モジュールバックカバー４の平行な面は、常に平滑な面を提供しているために、特別な処置をすることなく、単に背面カバー７とベース部５とを取り外すだけの簡単な作業でに安定した平置き使用を提供することができる。
【００５２】
次に図５〜図６において、液晶モジュールフロントカバー２と液晶モジュールバックカバー４に内蔵された部品の配置について説明する。
【００５３】
シャーシ２０の後方側に、液晶ユニット１の中心近傍に電源ユニット２５を配置し、その側方にＡＣインレット２８と、他の側方に液晶インタフェース基板２４を配置している。
【００５４】
電源ユニット２５は、液晶インタフェース基板２４やＡＣインレット２８等の他の構成部品に比べ、重量も重く奥行き寸法的も大きい。構成部品の中で、最も大きな電源ユニット２５を中心位置近傍に配置することにより、液晶ユニット１の外形寸法は中心位置近傍が最も大きくなり、その他はそれ以下の奥行き寸法にすることができる。
【００５５】
さらには、構成部品の中で、最も重い電源ユニット２５を中心位置近傍に配置しているので表示装置の安定感が増し、高さ調整板８やヒンジ機構５０に過度の疲労が掛からず該高さ調整板８や該ヒンジ機構５０はコンパクトなもので良い。
【００５６】
なお、本発明の第１の実施例では、液晶ユニット１の中央部に電源ユニット２５を配置したとして説明したが、本発明はこれにこだわるものではなく、構成部品中で液晶ユニット１が内蔵するように取付けられた状態において、最も重い構成部品を配置すれば良い。
【００５７】
次に図７〜図９において、液晶モジュールバックカバー４の形態について説明する。
【００５８】
図７は、本発明の第１の実施例の平置き状態を示す図である。また、図８は、本発明の第１の実施例の液晶パネルバックカバーの平滑な面を示す図、図９は、液晶表示装置を平置きとして使用する他の実施例を示す図である。
【００５９】
先に、図５〜図６において説明したような構成部品の配置としたために、液晶モジュールバックカバー４の形態は、中央部分が最も奥行き寸法が大きく、上記中央部分の左右方向は、上記中央部分よりも奥行き寸法を小さくすることができる。
【００６０】
なお、本発明の第１の実施例では、液晶ユニット１の中央部に電源ユニット２５を配置したとして説明したが、本発明はこれにこだわるものではなく、構成部品中で液晶ユニット１が内蔵するように取付けられた状態において、最も奥行き寸法が大きな構成部品を配置すれば良い。
【００６１】
そこで、本発明の第１の実施例では、ベ−ス部５を取り外して平置きとした状態で安定感を増すために、液晶モジュールフロントカバー２の横幅寸法ｗ１が３６５ｍｍであるのに対し、液晶モジュールバックカバー４の突出部の横幅寸法ｗ２を３３４ｍｍとし、平滑な面の横幅寸法ｗ３を２２０ｍｍとしており、前方側に湾曲した面の横幅寸法ｗ４を５７ｍｍとしている。また、平滑な面と湾曲した面の空間の高さ寸法ｈ１は２２ｍｍとしている。
【００６２】
これにより、液晶ユニット１の左右方向と、設置面との間に空間を形成することができ、該液晶ユニット１を設置場所に置くときや、設置場所を移動するときには、指が容易に上記空間に差し入れることができる。
【００６３】
すなわち、人間が重量物を持ち上げるときには、持ち上げる物を握り締めることが重要であり、そのためには物を握り締める人差指の第一間接を持ち上げる物の下部にもぐり込ませ確りと力を加える必要がある。本発明の第１の実施例では、上記空間の存在により容易に物を握り締める人差指の第一間接が、持ち上げる物の下部にもぐり込せることができる。
【００６４】
このことにより、液晶ユニット１を容易に保持することができ、該液晶ユニット１を落下させることがなく、安全性が高く取扱の良い液晶表示装置を提供することができる。
【００６５】
なお、４：３の比率を持つ表示画面の場合には、液晶モジュールバックカバー４の平滑な面は、液晶モジュールフロントカバー２の中心位置近傍で、かつ、短い方向の寸法の半分程度を有しておれば安定感が最も良い。また、成人男性の標準的な人差指の第一間接の長さｗ５は２２ｍｍであることから、人差指が差し入れられる空間を確保するためには、上記平滑な面の横幅寸法ｗ２は、液晶モジュール２１の短い方向の寸法ｈ３が２８４ｍｍであり、その寸法の半分の寸法ｈ４である１４２ｍｍから、最大で２９０ｍｍの範囲であれば、本発明の第１の実施例と同様な効果を提供することができる。
【００６６】
また、表示画面の比率がワイド画面（１６：９）の場合には、上記平滑な面の横幅寸法ｗ２の他に、長手方向の左右１／４程度の位置に、小さな突起若しくは平滑面５２ａ、ｂを構成することで、さらに安定感が良い液晶表示装置を提供することができる。
【００６７】
さらに、先に図３において、液晶モジュールバックカバー４の平滑な面の高さ方向の寸法を、該液晶モジュールバックカバー４の下方から縦方向の中心位置よりさらに上方に位置していると説明したが、上記平滑な面の高さ寸法は、上記平滑な面の横幅寸法ｗ２を直径とする範囲であっても良く、安定感が良い液晶表示装置を提供することができる。
【００６８】
更に加えて、液晶モジュールバックカバー４の平滑な部分を面として説明したが、本発明はこれにこだわるものではなく、液晶モジュール２１の短い方向の寸法ｈ３の寸法の半分であるｈ４を直径とする突起物５１を該液晶モジュールバックカバー４の中心位置近傍に構成しても良く、この場合本発明の第１の実施例と同様な効果を提供することができる。
【００６９】
また、液晶モジュールバックカバー４の湾曲した面と、設置面との間にできる空間寸法については、成人男性の標準的な人差指の直径ｈ２が１０ｍｍであることから、人差指が差し入れられる空間を確保するためには、平滑な面と湾曲した面の空間の高さ寸法は、最低が１０ｍｍで最大が該液晶モジュールバックカバー４の突出部の両端までの寸法であっても本発明と同様な効果を提供することができる。
【００７０】
図９は、平置きとして使用する場合の良好な形態を示す他の実施例であるが、液晶モジュールバックカバー４の後方側の形態は、平滑な面と湾曲した面から構成している必要はなく、図９（ａ）で示すように大きな連続した湾曲面とし、中心位置近傍に液晶モジュール２１の短い方向の寸法ｈ３の半分の寸法であるｈ４を直径とする突起物５３ａ、ｂをを構成することにより、本発明の第１の実施例と同様な効果を提供することができる。
【００７１】
また、図９（ｂ）で示すように、中心位置近傍に液晶モジュール２１の短い方向の寸法ｈ３の半分の寸法であるｈ４を直径とする範囲を平滑な面として、その他の面を内側に傾斜させた面として構成することにより、本発明の第１の実施例と同様な効果を提供することができる。
【００７２】
次に液晶ユニット１の空気の流れについて説明する。
【００７３】
図１０は液晶ユニット１の空気の流れを示す図で、図１０（ａ）は図３における空気の流れを示す図、図１０（ｂ）は、図５における空気の流れを示す図である。
【００７４】
液晶ユニット１は、液晶モジュール２１を覆う矩形の液晶モジュールフロントカバー２と、電源ユニット２５等を覆う液晶モジュールバックカバー４から構成されているが、構成部品の中で特に放熱する該電源ユニット２５等はシャーシ２０の後方側に配置されている。
【００７５】
液晶モジュールバックカバー４は、円錐台を基調とした形態を有しており、液晶ユニット１の縦方向において、下面側が最も奥行き寸法があり、最下面から該液晶ユニット１の縦方向の中心位置より僅かに上方側までを液晶モジュール２１と平行な面とし、その平行な面が終了した上方側は該液晶モジュール２１側に傾斜した面としている。また、液晶ユニット１の横方向においは、中央部分に平滑な面を有しているが左右の端に湾曲した面を構成している。
【００７６】
なお、放熱のための放熱穴は、液晶モジュールバックカバー４の後方側に突出した部分の上面部と、背面側の傾斜した部分でかつ背面カバー７を除く部分に放熱穴３０ａ、ｂが設けられ、液晶モジュールフロントカバー２の下面部分と、該液晶モジュールバックカバー４の下面部分にも放熱穴３１ａ、ｂが設けられている。
【００７７】
さらに放熱穴３１ａ、ｂの上方でかつ近傍に、強制排気用のファン２６を構成している。
【００７８】
ベース部５に取り付けた状態で使用しているときには、液晶フロントカバー２や液晶モジュールバックカバー４の最も奥行き寸法のある下面に設けられた放熱穴３１ａ、ｂから吸い込まれた空気は、電源ユニット２５等の放熱部材に触れながら放熱穴３０ａ、ｂから液晶ユニット１の外に排気される。
【００７９】
特に、液晶モジュールバックカバー４の形態が、空気が吸い込まれる下面の奥行き寸法を大きく、そして排気される上面の寸法を小さくなるように構成したために、液晶ユニット１内に吸い込まれた空気は、該液晶ユニット１内にこもることがなく自然に上昇し、放熱効率の良好な装置を提供することができる。
【００８０】
さらに、液晶モジュールバックカバー４の横方向に湾曲した面を構成したために、液晶ユニット１内に吸い込まれた空気は中央に集まり、さらに放熱効率の良好な装置を提供することができる。
【００８１】
また、液晶ユニット１からベース部５と背面カバー７を取外して使用する平置きのときには、放熱穴３０ａ、ｂが傾斜した面に構成しており、該放熱穴３０ａ、ｂは常に設置面から離れて該放熱穴３０ａ、ｂは常に開放されているので、放熱効率の良好な装置を提供することができる。
【００８２】
なお、本発明の第１の実施例では、ファン２６を構成しているとして説明したが、本発明はこれにこだわるものではなく、該ファン２６を構成させなくとも放熱効率の良好な装置を提供することができる。
【００８３】
次に、本発明の第２の実施例を添付の図面に従って説明する。図１〜図６に示す部材，部位と同一ないし均等なものは、同一符号をもって示し重複した説明は省略する。
【００８４】
図１１は、本発明の第２の実施例を示す後方から見た斜視図である。
【００８５】
図４で前述した液晶ユニットバックカバー４の平滑な面には、図示しないユニファイネジ穴４１が構成されており、背面カバー７と高さ調整板８とを液晶ユニットから取外し、該ユニファイネジ穴４１にユニファイネジ６１を介して、三脚６０を取り付けることができる。
【００８６】
液晶ユニットバックカバー４を三脚６０で固定することにより、図示しない液晶モジュール２１の向きが自由に変えることができるので、一人の時には作業姿勢に適した画面角度を容易に確保することができ、液晶表示装置の四方に複数の人が配置しているときにも、該液晶モジュール２１の向きを速やかに変えることができるので、使用者のあらゆる作業姿勢や複数の使用者が共有して使用することができる。
【００８７】
さらに次に、本発明の第３の実施例を添付の図面に従って説明する。図１〜図６に示す部材，部位と同一ないし均等なものは、同一符号をもって示し重複した説明は省略する。
【００８８】
図１２は、本発明の第３の実施例を示す前方から見た斜視図である。また、図１３は、本発明の第３の実施例を示す後方から見た斜視図である。
【００８９】
本発明の第３の実施例は、本発明の第１の実施例に図示しない、テレビチューナ基板とスピーカユニットと音声調整基板とを内蔵させ、液晶テレビジョン装置として示すものである。
【００９０】
なお、液晶モジュールバックカバー４の形態と寸法関係と平滑な面に配置されている図示しないユニファイネジ穴４１等は、全て本発明の第１の実施例と同一である。
【００９１】
液晶モジュールフロントカバー２の前方下方には、スピーカグリル７０ａ、ｂが左右の端に配置され、該スピーカグリル７０ａ、ｂの間には、電源インジケータ７１とテレビ／外部入力の切替ボタン７２とテレビチャンネルのアップボタン７３とテレビチャンネルのダウンボタン７４と音量のアップボタン７５と音量のダウンボタン７６と、図示しない液晶テレビジョン装置の操作の指示を行うことができるリーモートコントローラの受光部７７とが配置されている。
【００９２】
また、液晶モジュールバックカバー４の側方には、電源ボタン１７が配置され、該液晶モジュールバックカバー４の背面カバー７に覆われた平滑な面には、ＡＣインレットケーブル４５に接続されたＡＣインレットプラグ４４と、ＰＣやビデオテープレコーダ等の外部の映像音声再生機と接続されるケーブル８２に接続された外部入力プラグ８３が構成されている。
【００９３】
本発明の第３の実施例によれば、液晶ユニット１が表示する映像情報の種類が多岐にわたり、さらに音声情報も提供することができるので、使用シーンがさらに増し、本発明の第１の実施例と同一な効果を提供することができる。
【００９４】
【発明の効果】
以上説明したように、本発明によれば、電源ユニットが配置される内部空間において、空気が吸い込まれる下面の奥行き寸法を大きく、そして排気される上面の寸法を小さくなるように構成したために、液晶ユニット内に吸い込まれた空気は、該液晶ユニット内にこもることがなく自然に上昇し、放熱効率の良好な装置を提供することができる。
【図面の簡単な説明】
【図１】本発明の第１の実施例を示す前方から見た斜視図である。
【図２】本発明の第１の実施例の後方から見た斜視図である。
【図３】図１のＩ−Ｉ断面図である。
【図４】本発明の第１の実施例の分解図である。
【図５】図１のＩＩ−ＩＩ断面図である。
【図６】図３のＩＩＩ−ＩＩＩ断面図である。
【図７】本発明の第１の実施例の平置き状態を示す図である。
【図８】本発明の第１の実施例の液晶パネルバックカバーの平滑な面を示す図である。
【図９】液晶表示装置を平置きとして使用する他の実施例を示す図である。
【図１０】液晶ユニット１内の空気の流れを示す図である。
【図１１】本発明の第２の実施例を示す後方から見た斜視図である。
【図１２】本発明の第３の実施例を示す前方から見た斜視図である。
【図１３】本発明の第３の実施例を示す後方から見た斜視図である。
【符号の説明】
１  液晶ユニット
２  液晶モジュールフロントカバー
４  液晶モジュールバックカバー
５  ベース部
７  背面カバー
８  高さ調整板
１０  電源インジケータ
１２  セレクトボタン
１３  メニューボタン
１６  セイブンジケータ
２０  シャーシ
２１  液晶モジュール
２５  電源ユニット
３０  放熱穴
４１  ユニファイネジ穴
４４  ＡＣインレットプラグ
６０  三脚
６１  ユニファイネジ
７０  スピーカグリル
８２  外部入力用ケーブル。
【図１】
0003653847.tif 000002
【図２】
0003653847.tif 000003
【図３】
0003653847.tif 000004
【図４】
0003653847.tif 000005
【図５】
0003653847.tif 000006
【図６】
0003653847.tif 000007
【図７】
0003653847.tif 000008
【図８】
0003653847.tif 000009
【図９】
0003653847.tif 000010
【図１０】
0003653847.tif 000011
【図１１】
0003653847.tif 000012
【図１２】
0003653847.tif 000013
【図１３】
0003653847.tif 000014